(57)【要約】【課題】  障害が重くても腕をつり具で保持しないで補助者の手伝いなくサンディング運動を一人で行え、しかも障害の回復に応じた適切な負荷でサンディング運動が行えるようにする。【解決手段】  上台１の前部中央部に凹み１１を設け、又上台１の凹み１１の前端から上台１の後部まで延びた滑面１３を滑動する箱体形状のサンディング負荷体２を配置し、サンディング負荷体２を左右方向に貫挿する手握棒２２を取付け、同手握棒２２の左右に張り出した部分の上台１の上面領域１４１に前後に走行できる腕置台車３を配置し、同腕置台車３の保持板３４の棒孔３４１に前記手握棒２２を貫挿し、腕を同腕置台車３上に置いて手握棒を手で握って腕で前後させて腕置台車３及びサンディング負荷体２を動かす。【選択図】図６
2020000389.tif 000002
【特許請求の範囲】
【請求項１】
左右長さが使用する人の肩巾より長く且つ前後長さは使用する人の前腕の長さより長い長方形状の面板から前部中央部を切欠いて使用する人の胴部の一部を挿入できる凹みを形成した上台を有し、
前記上台の後端に沿って、上台の上面より段差があるストッパー部材を設け、前記上台の凹みの前端から前記ストッパー部材まで長く延びた所定巾の滑面を上台の上面中央に形成し、同滑面とこれに隣接した上台の上面とを区画する左右境界それぞれに所定高さの分離部材を上台に固設し、更に同分離部材から左右外側へ所定巾離れた上台上面の左右位置それぞれに縦長の巾木を上台上面に沿って前後方向取付け、
更に、前記上台の前記滑面上を所要の摩擦をもって箱体底面が接触して滑動できてサンディング運動の身体負荷を与える箱体の同じ前後位置で且つ同じ高さの左右壁面位置に孔を穿孔し、左右ある同孔を貫通して左右の外方向に長く突出させる長さの手握棒を貫通させ、しかも前記箱体の左右巾が前記滑面の巾より短くして箱体が傾きながら前後に滑動できるサンディング負荷体と、
前記上台の前記分離部材と前記巾木との間の上台の上面領域を前後に走行できる下部に走行用車輪又はローラを複数個取付けて上面に腕置マットを設け更に前方左右それぞれに前記手握棒の左又は右の突出部分を貫通して保持できる保持板を設けた腕置台車とを前記上台と別体として備え、
前記手握棒を前記箱体の左右の孔及び腕置台車の保持板の孔に貫挿して前記サンディング負荷体と前記腕置台車とを連結させて腕置台車の腕置マットに腕を置いて貫挿された手握棒を手で握って腕・肩を前後に運動させることでサンディング負荷体を前記滑面上で前後に動かして障害ある腕・肩の運動機能を回復させられるようにする、サンディング装置。
【請求項２】
前記上台を載置する机の上面に置いた状態で上台と机とを釘又はボルトナットで固着して机付きとした、請求項１記載のサンディング装置。
【請求項３】
前記上台の左右長と同じ左右長を有し且つ前記上台の前後長さより前記凹みの前後長さ分だけ少なくとも短くした長方形状で上面が板面の下台を備え、前記上台は前記下台の上面に重ねることができるように前記上台と下台の後端の対向面位置に丁番で蝶着して連結し、且つ上台を同丁番まわりに反転すると上台の裏面と下台の上面とが同じ面となるように台の高さを調整し、更に前記下台の左右端面の同じ前後の位置で複数の孔を上下方向に穿孔した棒架板を左右端面それぞれに下台の上面と直角になるように取付け、左右の同棒架板の同じ高さの孔に貫挿できる傾き設定棒を備え、下台を所要高さの机上に置き、更に前記丁番まわりに回転させて上台を下台に重ねた状態で使用できる他に、上台を前記丁番まわりに回転させて前記凹みが上方になるように傾斜させ、傾斜した上台の裏面を下台の左右の棒架板の同じ高さの孔に貫挿させた前記傾き設定棒で支持して上台を傾斜した状態で保持させ、傾いた上台の前記滑面に前記サンディング負荷体を、又その隣の前記上面領域に腕置台車を配置して上台の傾きで負荷量が違うサンディング運動を可能とする、請求項１又は２記載のサンディング装置。
【請求項４】
請求項３記載の上台と下台の組み合せたサンディング装置の下台を、これを載置する机の上面に置いた状態で、下台と机とを釘又はボルトナットで固着して机付きとした、請求項３記載のサンディング装置。
【請求項５】
上台に取付けた前記巾木が上台の裏面で同裏面と直角に起立できるように取付けられ、机上の上の置かれた下台に対し前記上台を後端の前記丁番まわりに１８０°展開させるとともに上台の巾木を起立させて上台の支持脚とし、机上の下台の上面と上台の裏面とで連続した広い面を確保してこの面に前記サンディング負荷体又は腕置台車を置いてこれを前後左右に動かして広い角度方向のサンディング運動を可能とした、請求項３又は４記載のサンディング装置。
【請求項６】
前記腕置台の下部に取付けた車輪が走行方向が変更可能な自在車輪であり、更に腕置台車の左右の保持板の間の前方台面に垂直な握棒を脱着自在に取付け、腕を腕置マットにのせて垂直な握棒を手で握ることで腕置台単独で種々な方向に走行させて種々の方向のサンディング運動を可能とした、請求項１〜５いずれか記載のサンディング装置。
【請求項７】
上台の左右長さが０．６ｍ以上で、上台の前後長さが０．５ｍ以上とし、凹みの奥行き長さが０．１５ｍ以上である、請求項１〜６いずれか記載のサンディング装置。
【請求項８】
上台の前記滑面の左右巾が前記サンディング負荷体の左右巾の長さより８ｍｍ以上長くしてサンディング負荷体を斜めにして前後させることができるようにした、請求項１〜７いずれか記載のサンディング装置。
【発明の詳細な説明】
【技術分野】
【０００１】
本発明は、脳血管疾患等によって腕・肘・肩等の上肢の運動機能を損なった人に運動機能の回復リハビリのためのサンディング装置である。又は、健康な人の上肢の筋力を作る運動器具としても使える装置に関する。
【背景技術】
【０００２】
本発明のサンディング装置とは、脳血管疾患等の原因で、腕・肘・指・肩・肩甲骨まわりの上肢の運動機能を損ない、それらの動きを低下させた人に対し、これらの上肢の運動機能を回復させるための器具・装置である。その器具・装置としては非特許文献１，２，３に記載のものが知られている。
【０００３】
サンディング装置としては、非特許文献２，３に示すように、上肢の筋力回復の為に腕を伸ばし・戻しの屈伸運動で筋肉を刺激して機能を回復させるものが知られている。そのサンディング装置の構造は、製図台のように傾斜した長方形状の平面のサンディングボードに、その操作の為に前方に水平又は垂直な手握棒を取付けたサンディング装置をサンディングボードの傾斜面に滑動させて運動負荷を与えるものである。それに滑動体に重りを設置できるようにしたもの、又は滑面をやすり面にしてその負荷を調整できるものもある（特に非特許文献３参照）。更に、腕の伸退運動が困難な場合、同サンディングボードの左右端に腕吊りスタンドを設け、使用者の腕をスタンドの吊りパッドで支持させて腕の伸退運動を容易にするようにしているものもある。
【０００４】
しかし、このサンディング装置でも障害が重い場合、スタンドの吊りパッドで腕を保持させること自体が困難であることが多く、そのため障害者本人単独では使用できず、補助者・医師の手伝いを必要としていた。
そのため、障害者が１人で所望の時間帯で自由に使用することができにくいものであった。
更に、従来の傾斜したサンディングボード上で横長のサンディング器具を直線的ガイドレールで拘束して前後に直線的に移動させ易くしたものでは、使用者の腹前面がサンディングボードの前縁に当って肘を胴部後方深くまで引く（肘を肩の位置の後方深く引く）ことができず、肩回転・上腕運動が不充分となるものであった。
【０００５】
更に、従来のサンディング器具では直線的ガイドレールによって拘束されて左右に突出した手握棒を両手で握って前後に同じ歩調で直線的に動くように左右の腕を動かせねばならず、障害の大きい腕はそれに引きづられるように強制され、障害の大きい腕をその障害に応じて前後運動させる調整が難しく、障害が大きい方の腕に過大なストレスが与えて適度な回復運動とならないという欠点があった。
更に、障害のある腕の肘をパットで吊る作業が障害者単独でできず、障害が大きい腕の初期のサンディング運動に使い辛いものとなっていた。
【先行技術文献】
【非特許文献】
【０００６】
【非特許文献１】北大阪警察病院のホームページの「リハビリテーション科−北大阪けいさつ病院外来受診のご案内」の頁
【非特許文献２】ＨｉＡＴ  Ｒｅｐｏｒｔ２０１１  福祉のまちづくり研究所報告集「上肢運動機能リハビリテーションにおける訓練・評価手法の開発」の論文
【非特許文献３】酒井医療株式会社のホームページの「総合カタログ２０１８」
【発明の概要】
【発明が解決しようとする課題】
【０００７】
本発明が解決しようとする課題は、従来のサンディング装置の問題点を解消し、障害が重い状態でのサンディング運動を一人で且つ障害に応じた適切な負荷状体で行え、又肩に充分な回転運動を与えられ、更に障害の回復に応じたサンディング負荷を調整でき、前後ばかりでなく左右運動も自在に行えるというサンディング装置を提供することにある。
【課題を解決するための手段】
【０００８】
かかる課題を解決した本発明の構成は、
１）  左右長さが使用する人の肩巾より長く且つ前後長さは使用する人の前腕の長さより長い長方形状の面板から前部中央部を切欠いて使用する人の胴部の一部を挿入できる凹みを形成した上台を有し、
前記上台の後端に沿って、上台の上面より段差があるストッパー部材を設け、前記上台の凹みの前端から前記ストッパー部材まで長く延びた所定巾の滑面を上台の上面中央に形成し、同滑面とこれに隣接した上台の上面とを区画する左右境界それぞれに所定高さの分離部材を上台に固設し、更に同分離部材から左右外側へ所定巾離れた上台上面の左右位置それぞれに縦長の巾木を上台上面に沿って前後方向取付け、
更に、前記上台の前記滑面上を所要の摩擦をもって箱体底面が接触して滑動できてサンディング運動の身体負荷を与える箱体の同じ前後位置で且つ同じ高さの左右壁面位置に孔を穿孔し、左右ある同孔を貫通して左右の外方向に長く突出させる長さの手握棒を貫通させ、しかも前記箱体の左右巾が前記滑面の巾より短くして箱体が傾きながら前後に滑動できるサンディング負荷体と、
前記上台の前記分離部材と前記巾木との間の上台の上面領域を前後に走行できる下部に走行用車輪又はローラを複数個取付けて上面に腕置マットを設け更に前方左右それぞれに前記手握棒の左又は右の突出部分を貫通して保持できる保持板を設けた腕置台車とを前記上台と別体として備え、
前記手握棒を前記箱体の左右の孔及び腕置台車の保持板の孔に貫挿して前記サンディング負荷体と前記腕置台車とを連結させて腕置台車の腕置マットに腕を置いて貫挿された手握棒を手で握って腕・肩を前後に運動させることでサンディング負荷体を前記滑面上で前後に動かして障害ある腕・肩の運動機能を回復させられるようにする、サンディング装置
２）  前記上台を載置する机の上面に置いた状態で上台と机とを釘又はボルトナットで固着して机付きとした、前記１）記載のサンディング装置
３）  前記上台の左右長と同じ左右長を有し且つ前記上台の前後長さより前記凹みの前後長さ分だけ少なくとも短くした長方形状で上面が板面の下台を備え、前記上台は前記下台の上面に重ねることができるように前記上台と下台の後端の対向面位置に丁番で蝶着して連結し、且つ上台を同丁番まわりに反転すると上台の裏面と下台の上面とが同じ面となるように台の高さを調整し、更に前記下台の左右端面の同じ前後の位置で複数の孔を上下方向に穿孔した棒架板を左右端面それぞれに下台の上面と直角になるように取付け、左右の同棒架板の同じ高さの孔に貫挿できる傾き設定棒を備え、下台を所要高さの机上に置き、更に前記丁番まわりに回転させて上台を下台に重ねた状態で使用できる他に、上台を前記丁番まわりに回転させて前記凹みが上方になるように傾斜させ、傾斜した上台の裏面を下台の左右の棒架板の同じ高さの孔に貫挿させた前記傾き設定棒で支持して上台を傾斜した状態で保持させ、傾いた上台の前記滑面に前記サンディング負荷体を、又その隣の前記上面領域に腕置台車を配置して上台の傾きで負荷量が違うサンディング運動を可能とする、前記１）又は２）記載のサンディング装置
４）  前記３）記載の上台と下台の組み合せたサンディング装置の下台を、これを載置する机の上面に置いた状態で、下台と机とを釘又はボルトナットで固着して机付きとした、前記３）記載のサンディング装置
５）  上台に取付けた前記巾木が上台の裏面で同裏面と直角に起立できるように取付けられ、机上の上の置かれた下台に対し前記上台を後端の前記丁番まわりに１８０°展開させるとともに上台の巾木を起立させて上台の支持脚とし、机上の下台の上面と上台の裏面とで連続した広い面を確保してこの面に前記サンディング負荷体又は腕置台車を置いてこれを前後左右に動かして広い角度方向のサンディング運動を可能とした、前記３）又は４）記載のサンディング装置
６）  前記腕置台の下部に取付けた車輪が走行方向が変更可能な自在車輪であり、更に腕置台車の左右の保持板の間の前方台面に垂直な握棒を脱着自在に取付け、腕を腕置マットにのせて垂直な握棒を手で握ることで腕置台単独で種々な方向に走行させて種々の方向のサンディング運動を可能とした、前記１）〜５）いずれか記載のサンディング装置
７）  上台の左右長さが０．６ｍ以上で、上台の前後長さが０．５ｍ以上とし、凹みの奥行き長さが０．１５ｍ以上である、前記１）〜６）いずれか記載のサンディング装置
８）  上台の前記滑面の左右巾が前記サンディング負荷体の左右巾の長さより８ｍｍ以上長くしてサンディング負荷体を斜めにして前後させることができるようにした、前記１）〜７）いずれか記載のサンディング装置
にある。
【発明の効果】
【０００９】
本発明によれば、障害が重い状態では別体の所要高さの机Ｄ上に、上台１単独を又は丁番５を使用して上台１を下台４の上に重ねた状態で設置して上台１の上面１６を水平又は水平に近い傾斜状態にする。次に、これを使用する障害者の前腹部を凹み１１に当てるようにして椅子に座る。
次に、箱状のサンディング負荷体２を上台１の滑面１３上に置く。必要ならばサンディング負荷体２の箱体２１内に所要の重量の重りを置いて負荷調整する。
その後、分離部材１４と上台１の上面１６に縦長に添わせている巾木１５との間の左又は右あるいは左右両側の上面領域１４１に腕置台車３を置く。
【００１０】
次に、サンディング負荷体２の孔２１１と腕置台車３の保持板３４の棒孔３４１に長い手握棒２２を貫通させ、この腕置台車３の腕置マット３３上に障害者の腕・肘を置く。腕・肘を置く動作は、他の手を使って障害が強い方の腕・肘を支えながら腕置マット３３上に置くようにする。両手とも不自由な場合は、補助者の手伝いによって簡単に腕を腕置マット３３上に置く。
【００１１】
障害がある腕を腕置台車３の腕置マット３３に置く。その手は腕置台車３の保持板３４の棒孔３４１に貫通させた水平な手握棒２２を握る。
この状態で、腕を前後に又は肩を回転させると軽い力で腕置台車３は下部の自在車輪３２で前後でき、腕の筋肉を屈伸させることができ、サンディング運動を与えることができる。左右の腕置台車３の間にサンディング負荷体２があって、腕置台車３の前後動とともにサンディング負荷体２の箱底面２１２は上台１の木板１３１の表面の滑面１３と擦りながら前後し、その擦りの摩擦がサンディング運動の負荷となる。この負荷値は木板１３１と箱底面２１２との摩擦係数・滑面１３の傾き角によってあるいは箱体内に入れる重りの重量で調整できる。
【００１２】
又、本発明では上台１の凹み１１に使用する障害者の腹部が当るようにしているため、使用する者の肩の位置は上台１の凹み１１のない前縁より後方側にあって、その分腕の肘の位置は上台１の前縁から更に前方の位置まで退かせることができ、肩の回転角を大きくとれる運動となり、より好ましいサンディング運動にできる。
【００１３】
又、手握棒２２を左手及び右手の両手で握って腕置台車３を前後させると、障害がない腕又は障害が少ない腕側の腕の力，肩の力によって手握棒２２を前後に移動できる。しかも、サンディング負荷体２の箱体２１の巾は、上台１の滑面１３の巾より（１０ｍｍ前後程）短くなっているので、サンディング負荷体２及び手握棒２２は前後方向から左右いずれかに傾くことができる。そのため障害が少ない腕で手握棒２２を前後させて前後運動をリードしても、障害が大きい腕側はその前後運動にそのまま追従させず、障害が大きい方の腕を前方側（体側）に残させて手握棒２２を傾くことを許容する。
これによって、障害の大きい腕に過大なストレスがかからないようにでき、障害の大きい腕・肩の回復に適した負荷ストレスに調整でき、障害に応じた負荷ストレスに障害者自身（障害の少ない腕の運動）でもってコントロールできるという利点がある。
【００１４】
次に、障害がある程度回復してきた場合、サンディング運動に大きい負荷を与えたい場合の対応について説明する。
この場合、机Ｄ上の下台４の上に上台１を重ねた状態から、上台１を後端にある丁番５まわりに回転させて上台１が下台４，机Ｄに対して所定の角度傾けた状態にする。上台１の傾きを保持するため、下台４の左右端それぞれに取付けた直角の棒架板４１の同じ高さの孔間に傾き設定棒４３を貫挿し、傾けた上台１の裏面１７を前記傾き設定棒４３でその傾きを保持する。左右の棒架板４１の孔４１１は上下に複数あるので、設定棒４３の高さは複数のものに変更でき、この孔４１１の選択によって上台１の傾き角を複数の角度の中から選択できるようにしている。
【００１５】
そして、上台１を所要の角度に傾斜した状態で凹み１１がない後端側に障害者が椅子に座って使用する。サンディング負荷体２は上台１の滑面１３上に前後逆にして置き、又腕置台車３は上台１の分離部材１４と巾木１５の間の上面領域１４１に前後逆にして置いて使用する。
サンディング負荷体２と腕置台車３で使用方法は、前記した上台１を水平にした状態での使用方法と同様である。
この上台１を傾斜させた使用では、サンディング負荷体２及び腕置台車３には上台１の傾きに応じて自重による滑り力が加わるため傾きを登る方向のサンディング運動の負荷が大きく、サンディング負荷体２，腕置台車３の凹み１１がある前方への動きに対し大きな腕・肘・肩の力が必要となり、少し回復した腕・肘・肩の回復のサンディング運動に適するものとなる。上台１の傾き角度が大きくなる程、回復が進んだ状態での運動負荷の大きいサンディング運動を可能とする。
【００１６】
更に、腕・肘・肩の左右方向のサンディング運動を与えたい場合は、上台１をその後端の丁番５まわりに１８０°回転させ水平とし、又反転した上台１の巾木１５を垂直に起立させ、反転した上台１の水平状態を巾木１５が支持脚となり下台の上面４４と上台１の裏面１７とを略同一水平面として、この広い水平面上でサンディング負荷体２，腕置台車３それぞれ単独で使用して、又は手握棒２２で互に連結状態して使用することで、広い水平面でサンディング負荷体２，腕置台車３を前後及び左右に動かして腕・肘・肩に左右方向の運動を付加したサンディング運動を可能にしている。
【図面の簡単な説明】
【００１７】
【図１】図１は実施例のサンディング負荷体と腕置台車を上台１の上に置いていない状態の上台の斜視図である。
【図２】図２は実施例の上台の平面図である。
【図３】図３は図２のＡ−Ａ断面図である。
【図４】図４はサンディング負荷体と腕置台車とを上台１上に配置した状態を示す斜視図である。
【図５】図５は実施例の使用状態を示す側面図である。
【図６】図６は図５の使用状態におけるサンディング負荷体と腕置台車と腕を置いた状態を示す平面図である。
【図７】図７は実施例の下台の斜視図である。
【図８】図８は実施例の下台の底面図である。
【図９】図９は実施例のサンディング負荷体を示す斜視図である。
【図１０】図１０は実施例のサンディング負荷体の中央縦断面図である。
【図１１】図１１は実施例の腕置台車の平面図である。
【図１２】図１２は実施例の腕置台車の底面図である。
【図１３】図１３は実施例の腕置台車を示す側面図である。
【図１４】図１４は実施例の腕置台車の前部を示す拡大説明図である。
【図１５】図１５は実施例の腕置台車の前部に垂直握棒を垂直に立設状態を示す腕置台車の平面図である。
【図１６】図１６は図１５のＸ−Ｘ線における断面図である。
【図１７】図１７は垂直握棒を取付けた腕置台車での実施例の使用例を示す説明図である。
【図１８】図１８は実施例の上台を傾斜させて使用する状態を示す側面図である。
【図１９】図１９は実施例の上台を１８０°反転して下台と上台を水平に連結した状態での使用例を示す説明図である。
【発明を実施するための形態】
【００１８】
本発明のサンディング装置は実施例の如く上台と下台を丁番で連結し、これにサンディング負荷体と腕置台車を備えた構造例ばかりでなく、上台のみにサンディング負荷体と腕置台車を配置し、下台がない形態も本発明に含まれるものである。
【００１９】
又、本発明では本発明の別体として備えているサンディング負荷体又は腕置台車単独で適切な机面又はテーブル面、あるいは上台を反転して下台と略同一の高さで平面にした面上で使用することでもサンディング運動させることができる。
更に、本発明では上台を専用の机に釘・ボルトナット・木ネジＤ１等で固着して机付きのサンディング装置としてもよい。又、実施例の如く上台を下台に丁番で連結した形態のその下台をやはり机に釘・ボルトナット・木ネジＤ１等で固着して机付きのサンディング装置とすることもでき、これも本発明に含まれるものである。
【実施例】
【００２０】
本発明の実施例を図１〜１９の図面に基づいて説明する。本実施例は、上台１と下台４とを後端の重ね面に設けた丁番５で連結している。図４，５，６，１７に示すように、上台１を下台４の上に重ねて水平な上台１上でサンディング負荷体２・腕置台車３を動かして軽いサンディング運動をすることができる。この使用は上肢の運動機能がかなり重い障害者の初期的なサンディング運動に適する。
更に、本実施例では図１８に示すように上台１を丁番５まわりに回転させて所要の傾斜角で下台４の左右の棒架板の孔に傾き設定棒４３を挿通して上台１を所定の角度の傾き状態にして、凹み１１がない方後端側から傾斜した上台１上でサンディング負荷体２及び腕置台車３を動かしてサンディング運動をさせる。この場合は、上台１の傾きの大きさに応じて負荷が大きくなるので、上肢の運動機能がある程度回復した者のサンディング運動に適する。
更に、図１９に示すように上台１を丁番５まわりに１８０°反転させ、巾木１５をその支持脚とし、下台上面４４と上台１の裏面１７で広いフラットな平面を形成し、この上でサンディング負荷体２又は腕置台車３を前後左右自在に動かすことで種々の上肢の方向の動き・回転に対してサンディング運動をさせることができるようにした、水平な上台１の上面１６での使用形態、傾いた上台１での使用形態及び下台４と上台１でのフラットな広い平面での使用形態ができる例である。
【００２１】
（実施例の符号の説明）
Ｇは図１〜１９に示す上記実施例のサンディング装置であり、Ｄは同サンディング装置Ｇを設置して使用する為の所要高さの机であって、実施例の上台１のみを机上面に載置して机Ｄと上台１とは互に独立して分離できる場合と、上台１を机Ｄに直接釘又はボルトナット（図示せず）・木ネジＤ１等で固着して使用する机付きサンディング装置とすることもできる。更に、上台１と下台４とを丁番５で連結し、下台４を机上面に載置し、その上台１を下台４上で傾けることができる実施例の上台１と下台４との組み合せ台と机Ｄとは組み合せ台を机上面に載置するだけで組み合せ台を机から分離できる場合と、専用の机Ｄを組み合せ台の下台４に釘・ボルトナット（図示せず）・木ネジＤ１等で固着して机付きのサンディング装置とすることもできる。
１は左右長１１０ｃｍ，前後長９０ｃｍ，厚み１ｃｍの板材の上台、１１は同上台の前部中央に設けた台形状の凹みで、その前縁の長さ４０ｃｍ，凹みの後縁の左右長さ２０ｃｍで奥行き２４ｃｍ程の寸法を有する。１１１は凹み１１の縁部分を形成する木製の縁材、１１２は同縁材の前面に取付けた下方に広いクッション材、１１３は滑面１３の前縁に設けたクッション材、１１４は滑面の後端に設けたクッション材である。１２は上台１の後縁に固設した前後巾５ｃｍで左右長さ１１０ｃｍの木製のストッパー部材、１３は上台１の中央上面１６に３ｃｍの肉厚の木板１３１を貼り付けてその上面でストッパー部材１２まで続く滑面、１４は同滑面と上台１の隣接する上面１６とを区画する左右に設けた高さ５．５ｃｍの金属板の分離部材、１４１は同分離部材１４から巾木１５までの２７ｃｍの巾の上台１の上面である上面領域、１５は上台１の上面の左右それぞれ設けた巾木であり、１５１は巾木１５の前縁部に設けた丁番、１５２は巾木１５を起立させるための丁番添木、１５３は左右ある巾木１５の後端間を連結する巾木連接鉄板、１６は上台１の上面、１７は上台１の裏面である。
【００２２】
２は図９，１０で示すサンディング負荷体、２１は同サンディング負荷体の本体となる木製の上方開放の箱体、２１１は同箱体の左右壁に設けた手握棒２２を貫通させる孔、２１２は同箱体の底面、２１３は箱体２１の上方開口、２２は長さ６６ｃｍで孔直径が３ｃｍの木製手握棒、２３は同手握棒２２を箱体２１に固定する木ネジである。
【００２３】
３は図１１〜１７に示す前後長さ４３ｃｍで左右巾１６．５ｃｍ程の腕置台車、３１は同腕置台車の台車ベース板、３２は同台車ベース板に取付けた６個の自在車輪、３３は同台車ベース板の上部に設けたクッション性のある腕置マット、３４は台車ベース板の前方の左右に取付けた保持板、３４１は同保持板３４に設けた手握棒２２を貫挿する棒孔、３５は腕置マット３３が左右に動かないように固定するために台車ベース板３１に固着されたマット枠木、３６は図１５〜１７に示す腕置台車３の前方に脱着自在に取付けられる垂直握棒、３６１は同垂直握棒３６の底面中央に垂設したねじ軸、３６２は台車ベース板３１の前方中央に穿孔したねじ軸孔、３６３は同ねじ軸孔に挿入したねじ軸３６１に螺着して垂直握棒３６を台車ベース板３１に固定するための蝶ナット、３６４はワッシャである。
【００２４】
４は主に図７，５，８で示される下台、４０は下台４のベース板、４１は同下台の左右中間の左右端に垂直に取付けられた板状の棒架板、４１１は同棒架板に所定間隔で複数個穿孔した傾き設定棒４３を挿入する孔、４２は棒架板４１の取付を補強する補強木、４３は孔４１１に挿入して傾いた上台１を支持する傾き設定棒、４４は下台４の上面、４５は下台４の強度を補強するため下台４のベース板４０の裏面に取付けられた下台補強裏角部材である。５は上台１に重ねて置いた下台４とを後端で開閉自在に連結する丁番である。
【００２５】
（本実施例の腕・肩の障害が重い状態での使用について／図４，５参照）
後端にある丁番５まわりに回転させて上台１を下台４の上に重ね、上台１の上面が略水平にして運動室の机Ｄ上に載置する。又は、机Ｄに固着した上台１・下台４を使う。
そして、上台１の滑面１３上には図４に示すようにサンディング負荷体２を設置し、その左右の上台１の上面領域１４１には腕置台車３を載置し、長さ６６ｃｍ程の木製の手握棒２２を左側の腕置台車３の左右の２個の棒孔３４１及びサンディング負荷体２の左右の孔２１１及び右側腕置台車３の左右の２個の棒孔３４１を貫挿させる。この準備は補助者・看護師・医師が行う。
【００２６】
障害者は、図５，６に示すように机Ｄに置かれた重ね合せた上台１と下台４の凹み１１に腹部を嵌合するように机Ｄの椅子に座る。次に、各腕置台車３の腕置マット３３の上に左腕・右腕を置く。障害が軽い側の手で障害が重い側の肘を支えるようにして各腕を腕置台車３の腕置マット３３の上に置くことができ、障害者が一人で腕を腕置台車３上に腕を置ける。腕支え吊りパットを必要なく使用できる。
【００２７】
次に、腕を腕置マット３３に載せた手は水平な手握棒２２を握る。この状態で腕・肩の筋力で腕置台車３を前後に動かすと、手握棒２２を介してサンディング負荷体２が上台１の滑面１３の摩擦力に抗して前後に動かせる。障害が軽い方の腕は、サンディング負荷体２を強く推進し、障害が重い腕の推進力が弱く、しかも滑面１３の左右巾の方がサンディング負荷体の左右巾より１０ｍｍ程長くなっていて、そのため手握棒２２及びサンディング負荷体２は斜めになって動かされ、障害が重い腕には強い負荷がかからずストレスを少ない状態にできる。
【００２８】
よって、重い障害の腕側には過度なストレスを与えず、軽い障害の腕側の力によってサンディング負荷体２と腕置台車３が動かされ、障害が大きい腕・肩のストレスをコントロールできる。
このように、略水平の上台１では障害が重い状態での軽いサンディング運動を可能とする。
【００２９】
しかも、凹み１１によって腕置台車３を肩の後方まで引くことができ、肩の回転運動・肘の引き運動の効果的なサンディング運動を与えられる。
【００３０】
サンディング負荷を増大させたい場合は、サンディング負荷体２の箱体２１内に所要の重りを置けば摩擦力が増大させることができ、負荷を調整できる。
【００３１】
（障害が回復されて高いサンディング負荷を与えたい場合／図１８参照）
この場合は、上台１を丁番５まわりに回転させて上台１を所要の角度に傾斜させ、左右ある棒架板４１の所要の孔４１１に傾き設定棒４３を挿入することで、傾けた上台１の裏面１７と接触させて上台１の傾き状態を保持する。
【００３２】
この状態で、障害者は机の反対側で椅子に座って、又サンディング負荷体２を上台１の水平として使用する前の状態での使用に対し前後逆にして滑面１３上に配置する。又、腕置台車３も前後逆にして上面領域１４１に配置する。
このようにして、凹み１１がない上台１後側から上台１を傾けて使用する。滑面１３，上面領域１４１も傾斜があるため、サンディング負荷体２，腕置台車３の前後動に対して腕・肩等により強い負荷が作用し、回復した腕・肩の強い負荷でのサンディング運動を可能にする。
【００３３】
更に、上台１を下台４に対して１８０°反転させ巾木１５を直角に起立させると、上台１は巾木１５が支持脚となり、図１９に示すように上台１の裏面１７と下台４の上面４４とが略同一となり、この上に腕置台車３を配置し、この腕置台車３上に腕を置くことで、前後ばかりでなく左右方向に自在にサンディング運動させることができるようになる。尚、前記使用状態の如くサンディング負荷体２と左右の腕置台車３とを手握棒２２で連動させるようにしてサンディング運動をさせることもできる。
【００３４】
又、腕置台車３の保持板３４の棒孔３４１に手握棒２２を貫挿させず、図１５〜１７に示すように先端に垂直握棒３６のねじ軸３６１をねじ軸孔３６２に挿入して、ワッシャ３６４と蝶ナット３６３で固着させることで、腕置台車３単独で前後左右に動かすサンディング運動を可能にする。
【産業上の利用可能性】
【００３５】
本発明は、肩・腕・肘に運動障害がある人の回復のためのサンディング装置であるが、障害がない人の腕・肩筋力の向上の運動具としても使用できる。
【符号の説明】
【００３６】
Ｇ    実施例のサンディング装置
Ｄ    机
Ｄ１    固定用木ネジ
１    上台
１１    凹み
１１１    縁材
１１２    クッション材
１１３    クッション材
１１４    クッション材
１２    ストッパー部材
１３    滑面
１３１    木板
１４    分離部材
１４１    上面領域
１５    巾木
１５１    巾木丁番
１５２    巾木添木
１５３    巾木連接鉄板
１６    上面（上台１の）
１７    裏面（上台１の）
２    サンディング負荷体
２１    箱体
２１１    孔
２１２    底面
２１３    上方開口
２２    手握棒
２３    木ネジ
３    腕置台車
３１    台車ベース板
３２    自在車輪
３３    腕置マット
３４    保持板
３４１    棒孔
３５    マット枠木
３６    垂直握棒
３６１    ねじ軸
３６２    ねじ軸孔
３６３    蝶ナット
３６４    ワッシャ
４    下台
４０    ベース板
４１    棒架板
４１１    孔
４２    補強木
４３    傾き設定棒
４４    上面（下台４の）
４５    下台補強裏角部材
５    丁番（上台と下台との連結用）
【図１】
2020000389.tif 000003
【図２】
2020000389.tif 000004
【図３】
2020000389.tif 000005
【図４】
2020000389.tif 000006
【図５】
2020000389.tif 000007
【図６】
2020000389.tif 000008
【図７】
2020000389.tif 000009
【図８】
2020000389.tif 000010
【図９】
2020000389.tif 000011
【図１０】
2020000389.tif 000012
【図１１】
2020000389.tif 000013
【図１２】
2020000389.tif 000014
【図１３】
2020000389.tif 000015
【図１４】
2020000389.tif 000016
【図１５】
2020000389.tif 000017
【図１６】
2020000389.tif 000018
【図１７】
2020000389.tif 000019
【図１８】
2020000389.tif 000020
【図１９】
2020000389.tif 000021
【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
左右長さが使用する人の肩巾より長く且つ前後長さは使用する人の前腕の長さより長い長方形状の面板から前部中央部を切欠いて使用する人の胴部の一部を挿入できる凹みを形成した上台を有し、
前記上台の後端に沿って、上台の上面より段差があるストッパー部材を設け、前記上台の凹みの前端から前記ストッパー部材まで長く延びた所定巾の滑面を上台の上面中央に形成し、同滑面とこれに隣接した上台の上面とを区画する左右境界それぞれに所定高さの分離部材を上台に固設し、更に同分離部材から左右外側へ所定巾離れた上台上面の左右位置それぞれに縦長の巾木を上台上面に沿って前後方向に取付け、
更に、前記上台の前記滑面上を所要の摩擦をもって箱体底面が接触して滑動できてサンディング運動の身体負荷を与える箱体の同じ前後位置で且つ同じ高さの左右壁面位置に孔を穿孔し、この左右ある孔を貫通して左右の外方向に長く突出させる長さの手握棒を貫通させ、しかも前記箱体の左右巾が前記滑面の巾より短くして箱体が傾きながら前後に滑動できるサンディング負荷体と、
前記上台の前記分離部材と前記巾木との間の上台の上面領域を前後に走行できる下部に走行用車輪又はローラを複数個取付けて上面に腕置マットを設け更に前方左右それぞれに前記手握棒の左又は右の突出部分を貫通して保持できる保持板を設けた腕置台車とを前記上台と別体として備え、
前記手握棒を前記箱体の左右の孔及び腕置台車の保持板の孔に貫挿して前記サンディング負荷体と前記腕置台車とを連結させて腕置台車の腕置マットに腕を置いて貫挿された手握棒を手で握って腕・肩を前後に運動させることでサンディング負荷体を前記滑面上で前後に動かして障害ある腕・肩の運動機能を回復させられるようにする、サンディング装置。
【請求項２】
前記上台を載置する机の上面に置いた状態で上台と机とを釘又はボルトナットで固着して机付きとした、請求項１記載のサンディング装置。
【請求項３】
前記上台の左右長と同じ左右長を有し且つ前記上台の前後長さより前記凹みの前後長さ分だけ少なくとも短くした長方形状で上面が板面の下台を備え、前記上台は前記下台の上面に重ねることができるように前記上台と下台の後端の対向面位置に丁番で蝶着して連結し、且つ上台を同丁番まわりに反転すると上台の裏面と下台の上面とが同じ面となるように台の高さを調整し、更に前記下台の左右端面の同じ前後の位置で複数の孔を上下方向に穿孔した棒架板を左右端面それぞれに下台の上面と直角になるように取付け、左右の同棒架板の同じ高さの孔に貫挿できる傾き設定棒を備え、下台を所要高さの机上に置き、更に前記丁番まわりに回転させて上台を下台に重ねた状態で使用できる他に、上台を前記丁番まわりに回転させて前記凹みが上方になるように傾斜させ、傾斜した上台の裏面を下台の左右の棒架板の同じ高さの孔に貫挿させた前記傾き設定棒で支持して上台を傾斜した状態で保持させ、傾いた上台の前記滑面に前記サンディング負荷体を、又その隣の前記上面領域に腕置台車を配置して上台の傾きで負荷量が違うサンディング運動を可能とする、請求項１又は２記載のサンディング装置。
【請求項４】
請求項３記載の上台と下台の組み合せたサンディング装置の下台を、これを載置する机の上面に置いた状態で、下台と机とを釘又はボルトナットで固着して机付きとした、請求項３記載のサンディング装置。
【請求項５】
前記腕置台車の下部に取付けた車輪が走行方向が変更可能な自在車輪であり、更に腕置台車の左右の保持板の間の前方台面に垂直な握棒を脱着自在に取付け、腕を腕置マットにのせて垂直な握棒を手で握ることで腕置台単独で種々な方向に走行させて種々の方向のサンディング運動を可能とした、請求項１〜４いずれか記載のサンディング装置。
【請求項６】
上台の左右長さが０．６ｍ以上で、上台の前後長さが０．５ｍ以上とし、凹みの奥行き長さが０．１５ｍ以上である、請求項１〜５いずれか記載のサンディング装置。
【請求項７】
上台の前記滑面の左右巾が前記サンディング負荷体の左右巾の長さより８ｍｍ以上長くしてサンディング負荷体を斜めにして前後させることができるようにした、請求項１〜６いずれか記載のサンディング装置。
【手続補正２】
【補正対象書類名】明細書
【補正対象項目名】０００８
【補正方法】変更
【補正の内容】
【０００８】
かかる課題を解決した本発明の構成は、
１）  左右長さが使用する人の肩巾より長く且つ前後長さは使用する人の前腕の長さより長い長方形状の面板から前部中央部を切欠いて使用する人の胴部の一部を挿入できる凹みを形成した上台を有し、
前記上台の後端に沿って、上台の上面より段差があるストッパー部材を設け、前記上台の凹みの前端から前記ストッパー部材まで長く延びた所定巾の滑面を上台の上面中央に形成し、同滑面とこれに隣接した上台の上面とを区画する左右境界それぞれに所定高さの分離部材を上台に固設し、更に同分離部材から左右外側へ所定巾離れた上台上面の左右位置それぞれに縦長の巾木を上台上面に沿って前後方向に取付け、
更に、前記上台の前記滑面上を所要の摩擦をもって箱体底面が接触して滑動できてサンディング運動の身体負荷を与える箱体の同じ前後位置で且つ同じ高さの左右壁面位置に孔を穿孔し、この左右ある孔を貫通して左右の外方向に長く突出させる長さの手握棒を貫通させ、しかも前記箱体の左右巾が前記滑面の巾より短くして箱体が傾きながら前後に滑動できるサンディング負荷体と、
前記上台の前記分離部材と前記巾木との間の上台の上面領域を前後に走行できる下部に走行用車輪又はローラを複数個取付けて上面に腕置マットを設け更に前方左右それぞれに前記手握棒の左又は右の突出部分を貫通して保持できる保持板を設けた腕置台車とを前記上台と別体として備え、
前記手握棒を前記箱体の左右の孔及び腕置台車の保持板の孔に貫挿して前記サンディング負荷体と前記腕置台車とを連結させて腕置台車の腕置マットに腕を置いて貫挿された手握棒を手で握って腕・肩を前後に運動させることでサンディング負荷体を前記滑面上で前後に動かして障害ある腕・肩の運動機能を回復させられるようにする、サンディング装置
２）  前記上台を載置する机の上面に置いた状態で上台と机とを釘又はボルトナットで固着して机付きとした、前記１）記載のサンディング装置
３）  前記上台の左右長と同じ左右長を有し且つ前記上台の前後長さより前記凹みの前後長さ分だけ少なくとも短くした長方形状で上面が板面の下台を備え、前記上台は前記下台の上面に重ねることができるように前記上台と下台の後端の対向面位置に丁番で蝶着して連結し、且つ上台を同丁番まわりに反転すると上台の裏面と下台の上面とが同じ面となるように台の高さを調整し、更に前記下台の左右端面の同じ前後の位置で複数の孔を上下方向に穿孔した棒架板を左右端面それぞれに下台の上面と直角になるように取付け、左右の同棒架板の同じ高さの孔に貫挿できる傾き設定棒を備え、下台を所要高さの机上に置き、更に前記丁番まわりに回転させて上台を下台に重ねた状態で使用できる他に、上台を前記丁番まわりに回転させて前記凹みが上方になるように傾斜させ、傾斜した上台の裏面を下台の左右の棒架板の同じ高さの孔に貫挿させた前記傾き設定棒で支持して上台を傾斜した状態で保持させ、傾いた上台の前記滑面に前記サンディング負荷体を、又その隣の前記上面領域に腕置台車を配置して上台の傾きで負荷量が違うサンディング運動を可能とする、前記１）又は２）記載のサンディング装置
４）  前記３）記載の上台と下台の組み合せたサンディング装置の下台を、これを載置する机の上面に置いた状態で、下台と机とを釘又はボルトナットで固着して机付きとした、前記３）記載のサンディング装置
５）  前記腕置台車の下部に取付けた車輪が走行方向が変更可能な自在車輪であり、更に腕置台車の左右の保持板の間の前方台面に垂直な握棒を脱着自在に取付け、腕を腕置マットにのせて垂直な握棒を手で握ることで腕置台単独で種々な方向に走行させて種々の方向のサンディング運動を可能とした、前記１）〜４）いずれか記載のサンディング装置
６）  上台の左右長さが０．６ｍ以上で、上台の前後長さが０．５ｍ以上とし、凹みの奥行き長さが０．１５ｍ以上である、前記１）〜５）いずれか記載のサンディング装置
７）  上台の前記滑面の左右巾が前記サンディング負荷体の左右巾の長さより８ｍｍ以上長くしてサンディング負荷体を斜めにして前後させることができるようにした、前記１）〜６）いずれか記載のサンディング装置
にある。
【手続補正書】
【提出日】令和1年10月28日(2019.10.28)
【手続補正１】
【補正対象書類名】特許請求の範囲
【補正対象項目名】全文
【補正方法】変更
【補正の内容】
【特許請求の範囲】
【請求項１】
左右長さが使用する人の肩巾より長く且つ前後長さは使用する人の前腕の長さより長い長方形状の面板から前部中央部を切欠いて使用する人の胴部の一部を挿入できる凹みを形成した上台を有し、
前記上台の後端に沿って、上台の上面より段差があるストッパー部材を設け、前記上台の凹みの前端から前記ストッパー部材まで長く延びた所定巾の滑面を上台の上面中央に形成し、同滑面とこれに隣接した上台の上面とを区画する左右境界それぞれに所定高さの分離部材を上台に固設し、更に同分離部材から左右外側へ所定巾離れた上台上面の左右位置それぞれに縦長の巾木を上台上面に沿って前後方向に取付け、
更に、前記上台の前記滑面上を所要の摩擦をもって箱体底面が接触して滑動できてサンディング運動の身体負荷を与える箱体の同じ前後位置で且つ同じ高さの左右壁面位置に孔を穿孔し、この左右ある孔を貫通して左右の外方向に長く突出させる長さの手握棒を貫通させ、しかも前記箱体の左右巾が前記滑面の巾より短くして箱体が傾きながら前後に滑動できるサンディング負荷体と、
前記上台の前記分離部材と前記巾木との間の上台の上面領域を前後に走行できる下部に走行用車輪又はローラを複数個取付けて上面に腕置マットを設け更に前方左右それぞれに前記手握棒の左又は右の突出部分を貫通して保持できる保持板を設けた腕置台車とを前記上台と別体として備え、
前記手握棒を前記箱体の左右の孔及び腕置台車の保持板の孔に貫挿して前記サンディング負荷体と前記腕置台車とを連結させて腕置台車の腕置マットに腕を置いて貫挿された手握棒を手で握って腕・肩を前後に運動させることでサンディング負荷体を前記滑面上で前後に動かして障害ある腕・肩の運動機能を回復させられるようにする、サンディング装置。
【請求項２】
前記上台を載置する机の上面に置いた状態で上台と机とを釘又はボルトナットで固着して机付きとした、請求項１記載のサンディング装置。
【請求項３】
前記上台の左右長と同じ左右長を有し且つ前記上台の前後長さより前記凹みの前後長さ分だけ少なくとも短くした長方形状で上面が板面の下台を備え、前記上台は前記下台の上面に重ねることができるように前記上台と下台の後端の対向面位置に丁番で蝶着して連結し、且つ上台を同丁番まわりに反転すると上台の裏面と下台の上面とが同じ面となるように台の高さを調整し、更に前記下台の左右端面の同じ前後の位置で複数の孔を上下方向に穿孔した棒架板を左右端面それぞれに下台の上面と直角になるように取付け、左右の同棒架板の同じ高さの孔に貫挿できる傾き設定棒を備え、下台を所要高さの机上に置き、更に前記丁番まわりに回転させて上台を下台に重ねた状態で使用できる他に、上台を前記丁番まわりに回転させて前記凹みが上方になるように傾斜させ、傾斜した上台の裏面を下台の左右の棒架板の同じ高さの孔に貫挿させた前記傾き設定棒で支持して上台を傾斜した状態で保持させ、傾いた上台の前記滑面に前記サンディング負荷体を、又その隣の前記上面領域に腕置台車を配置して上台の傾きで負荷量が違うサンディング運動を可能とする、請求項１又は２記載のサンディング装置。
【請求項４】
請求項３記載の上台と下台の組み合せたサンディング装置の下台を、これを載置する机の上面に置いた状態で、下台と机とを釘又はボルトナットで固着して机付きとした、請求項３記載のサンディング装置。
【手続補正２】
【補正対象書類名】明細書
【補正対象項目名】０００８
【補正方法】変更
【補正の内容】
【０００８】
かかる課題を解決した本発明の構成は、
１）  左右長さが使用する人の肩巾より長く且つ前後長さは使用する人の前腕の長さより長い長方形状の面板から前部中央部を切欠いて使用する人の胴部の一部を挿入できる凹みを形成した上台を有し、
前記上台の後端に沿って、上台の上面より段差があるストッパー部材を設け、前記上台の凹みの前端から前記ストッパー部材まで長く延びた所定巾の滑面を上台の上面中央に形成し、同滑面とこれに隣接した上台の上面とを区画する左右境界それぞれに所定高さの分離部材を上台に固設し、更に同分離部材から左右外側へ所定巾離れた上台上面の左右位置それぞれに縦長の巾木を上台上面に沿って前後方向に取付け、
更に、前記上台の前記滑面上を所要の摩擦をもって箱体底面が接触して滑動できてサンディング運動の身体負荷を与える箱体の同じ前後位置で且つ同じ高さの左右壁面位置に孔を穿孔し、この左右ある孔を貫通して左右の外方向に長く突出させる長さの手握棒を貫通させ、しかも前記箱体の左右巾が前記滑面の巾より短くして箱体が傾きながら前後に滑動できるサンディング負荷体と、
前記上台の前記分離部材と前記巾木との間の上台の上面領域を前後に走行できる下部に走行用車輪又はローラを複数個取付けて上面に腕置マットを設け更に前方左右それぞれに前記手握棒の左又は右の突出部分を貫通して保持できる保持板を設けた腕置台車とを前記上台と別体として備え、
前記手握棒を前記箱体の左右の孔及び腕置台車の保持板の孔に貫挿して前記サンディング負荷体と前記腕置台車とを連結させて腕置台車の腕置マットに腕を置いて貫挿された手握棒を手で握って腕・肩を前後に運動させることでサンディング負荷体を前記滑面上で前後に動かして障害ある腕・肩の運動機能を回復させられるようにする、サンディング装置
２）  前記上台を載置する机の上面に置いた状態で上台と机とを釘又はボルトナットで固着して机付きとした、前記１）記載のサンディング装置
３）  前記上台の左右長と同じ左右長を有し且つ前記上台の前後長さより前記凹みの前後長さ分だけ少なくとも短くした長方形状で上面が板面の下台を備え、前記上台は前記下台の上面に重ねることができるように前記上台と下台の後端の対向面位置に丁番で蝶着して連結し、且つ上台を同丁番まわりに反転すると上台の裏面と下台の上面とが同じ面となるように台の高さを調整し、更に前記下台の左右端面の同じ前後の位置で複数の孔を上下方向に穿孔した棒架板を左右端面それぞれに下台の上面と直角になるように取付け、左右の同棒架板の同じ高さの孔に貫挿できる傾き設定棒を備え、下台を所要高さの机上に置き、更に前記丁番まわりに回転させて上台を下台に重ねた状態で使用できる他に、上台を前記丁番まわりに回転させて前記凹みが上方になるように傾斜させ、傾斜した上台の裏面を下台の左右の棒架板の同じ高さの孔に貫挿させた前記傾き設定棒で支持して上台を傾斜した状態で保持させ、傾いた上台の前記滑面に前記サンディング負荷体を、又その隣の前記上面領域に腕置台車を配置して上台の傾きで負荷量が違うサンディング運動を可能とする、前記１）又は２）記載のサンディング装置
４）  前記３）記載の上台と下台の組み合せたサンディング装置の下台を、これを載置する机の上面に置いた状態で、下台と机とを釘又はボルトナットで固着して机付きとした、前記３）記載のサンディング装置
にある。